(57)【特許請求の範囲】
【請求項１】
ワイヤーハーネスを保持するバンドロック構造部であって、
長手方向に複数の被係止部が並んで設けられたバンドと、
前記ワイヤーハーネスを配索方向に沿って支持する支持面と、前記配索方向に沿って扁平な中間壁部を介して並列状に形成されて前記支持面で開口すると共に一方向に貫通して前記バンドを挿通可能な一対の貫通孔部とを有する本体部と、
前記各貫通孔部の内側に突出して前記バンドの前記複数の被係止部に対して選択的に係止可能なバンド係止部と、
を備え、
前記中間壁部は、前記支持面側端部に補助支持面を有して前記配索方向の一部において少なくとも一方の前記貫通孔部内に突起する形状に形成された肉厚部を有し、
前記肉厚部は、前記貫通孔部の貫通方向において前記中間壁部の両端に亘って延在し、
前記バンドは、前記複数の被係止部が形成された面の反対側の面に長手方向に沿って形成され、前記肉厚部に対して摺動可能に嵌合する凹部を有している、バンドロック構造部。
【請求項２】
請求項１に記載のバンドロック構造部であって、
前記肉厚部は、両方の前記貫通孔部内に突起する形状に形成されている、バンドロック構造部。
【請求項３】
請求項１又は請求項２に記載のバンドロック構造部であって、
前記肉厚部は、前記中間壁部のうちの前記配索方向中間部に設けられている、バンドロック構造部。
【請求項４】
ワイヤーハーネスを固定相手部に対して固定するためのハーネスクランプであって、
請求項１から請求項３のいずれか一項に記載のバンドロック構造部と、
前記固定相手部に対して前記本体部を固定可能な固定部と、
を備える、ハーネスクランプ。
【発明の詳細な説明】
【技術分野】
【０００１】
この発明は、電線を束ねて保持する技術に関する。
【背景技術】
【０００２】
車両に配索されるワイヤーハーネスは、バンドロック構造部を有するハーネスクランプを用いて部分的に保持され車体の所定の部位に固定される。
【０００３】
特許文献１には、挿通口が形成されて内側に係合舌片を有するバックル部とバックル部から延びて係合歯を有する帯部とを備えるベルトクランプが開示されている。このベルトクランプは、ワイヤーハーネスの外周に帯部を巻きつけた状態で、この帯部をバックル部の挿通口に挿通してワイヤーハーネスを締め付ける。
【先行技術文献】
【特許文献】
【０００４】
【特許文献１】特開２０００−２２０９号公報
【発明の概要】
【発明が解決しようとする課題】
【０００５】
ところで、バンドロック構造部として、バンドと本体部分とが別体で形成され、本体部分のうちのワイヤーハーネスを支持する支持面でバンド挿通用の貫通孔部が開口するものも提案されている。
【０００６】
ところが、支持面でバンド挿通用の貫通孔部が開口する形状のハーネスクランプにおいて、比較的細径のワイヤーハーネスを保持する場合、バンドを締め付ける際にワイヤーハーネスが貫通孔部内に入り込んでしまう恐れがある。この事象は、特に、ハーネスクランプの小型化及び材料費の削減を図ることにより、本体部分において一対の貫通孔部が支持面で開口し且つ狭い間隔で並列状に設けられている形状において顕著である。
【０００７】
そこで、本発明は、材料の軽減を図りつつワイヤーハーネスの貫通孔部内への入り込みを抑制することを目的とする。
【課題を解決するための手段】
【０００８】
第１の態様は、ワイヤーハーネスを保持するバンドロック構造部であって、長手方向に複数の被係止部が並んで設けられたバンドと、前記ワイヤーハーネスを配索方向に沿って支持する支持面と、前記配索方向に沿って扁平な中間壁部を介して並列状に形成されて前記支持面で開口すると共に一方向に貫通して前記バンドを挿通可能な一対の貫通孔部とを有する本体部と、前記各貫通孔部の内側に突出して前記バンドの前記複数の被係止部に対して選択的に係止可能なバンド係止部とを備え、前記中間壁部は、前記支持面側端部に補助支持面を有して前記配索方向の一部において少なくとも一方の前記貫通孔部内に突起する形状に形成された肉厚部を有している。
【０００９】
第２の態様は、第１の態様に係るバンドロック構造部であって、前記肉厚部は、両方の前記貫通孔部内に突起する形状に形成されている。
【００１０】
また、第１の態様では、前記肉厚部は、前記貫通孔部の貫通方向において前記中間壁部の両端に亘って延在し、前記バンドは、前記複数の被係止部が形成された面の反対側の面に長手方向に沿って形成され、前記肉厚部に対して摺動可能に嵌合する凹部を有している。
【００１１】
第３の態様は、第１又は第２の態様に係るバンドロック構造部であって、前記肉厚部は、前記中間壁部のうちの前記配索方向中間部に設けられている。
【００１２】
第４の態様は、ワイヤーハーネスを固定相手部に対して固定するためのハーネスクランプであって、第１から第３のいずれか一態様に係るバンドロック構造部と、前記固定相手部に対して前記本体部を固定可能な固定部とを備える。
【発明の効果】
【００１３】
第１の態様に係るバンドロック構造部によると、本体部が、ワイヤーハーネスを配索方向に沿って支持する支持面と、配索方向に沿って扁平な中間壁部を介して並列状に形成されて支持面で開口すると共に一方向に貫通してバンドを挿通可能な一対の貫通孔部とを有し、中間壁部は、支持面側端部に補助支持面を有して配索方向の一部において少なくとも一方の貫通孔部内に突起する形状に形成された肉厚部を有する。このため、配索方向に沿った中間壁部上で支持面上に配設されるワイヤーハーネスをバンドにより締め付けても、中間壁部のうち配索方向一部で肉厚部の補助支持面上に支持されることにより、材料の軽減を図りつつワイヤーハーネスの貫通孔部内への入り込みを抑制することができる。
【００１４】
第２の態様に係るバンドロック構造部によると、肉厚部が、両側の貫通孔部内に突起する形状に形成されているため、中間壁部のうち配索方向一部で肉厚部の補助支持面上に支持されるワイヤーハーネスの貫通孔部内への入り込みをより確実に抑制することができる。
【００１５】
また、第１の態様に係るバンドロック構造部によると、肉厚部が貫通孔部の貫通方向において中間壁部の両端に亘って延在し、バンドが、複数の被係止部が形成された面の反対側の面に長手方向に沿って形成され、肉厚部に対して摺動可能に嵌合する凹部を有している。このため、肉厚部と凹部とが嵌合した状態でバンドが貫通孔部に挿通され、貫通孔部にスムーズにバンドを挿通することができる。また、貫通孔部内に突起する肉厚部が形成されても、バンドの幅方向一部分で長手方向に亘って厚さを確保でき、本体部のサイズを維持したままでバンドの強度を維持できる。
【００１６】
第３の態様に係るバンドロック構造部によると、肉厚部が、中間壁部のうちの配索方向中間部に設けられているため、ワイヤーハーネスの貫通孔部内への入り込みをより確実に抑制することができる。
【００１７】
第４の態様に係るハーネスクランプによると、固定相手部に対して本体部を固定可能な固定部を備えているため、保持したワイヤーハーネスを固定相手部に対して固定することができる。
【図面の簡単な説明】
【００１８】
【図１】ハーネスクランプの斜視図である。
【図２】ハーネスクランプの斜視図である。
【図３】ハーネスクランプの底面図である。
【図４】ハーネスクランプの平面図である。
【図５】図４のＶ−Ｖ線断面図である。
【図６】図４のＶＩ−ＶＩ線断面図である。
【図７】ワイヤーハーネスが直線状に保持されている様子を示した図である。
【図８】ワイヤーハーネスが曲がって保持されている様子を示した図である。
【図９】バンドロック構造部単体で用いる例を示す図である。
【図１０】バンドロック構造部単体で用いる例を示す図である。
【発明を実施するための形態】
【００１９】
以下、実施形態に係るバンドロック構造部１２を有するハーネスクランプ１０について説明する（図１、図２参照）。ハーネスクランプ１０は、ワイヤーハーネス１を保持して固定相手部９０に対して固定するための部材である。
【００２０】
＜ワイヤーハーネス及び固定相手部＞
説明の便宜上、ハーネスクランプ１０の適用対象であるワイヤーハーネス１及び固定相手部９０について説明しておく。
【００２１】
ワイヤーハーネス１は、車両又は電気機器等（ここでは車両の例で説明する）に配索されるワイヤーハーネスであり、少なくとも１本の電線を有する線材である。ここで対象とするワイヤーハーネス１には、１本の電線で構成されたもの、複数本の電線がテープ巻き等により結束されたもの、電線束にコルゲートチューブ等の外装部材が装着されたもの等が含まれるものとする。
【００２２】
このワイヤーハーネス１は、配索経路に沿って車両に配索される。この際、ワイヤーハーネス１は、延在方向において部分的に車両各部（固定相手部９０）に対して固定される。固定相手部９０は、例えば車両の車体を構成する金属パネルであり、厚さ方向に貫通する固定用孔部９２が形成されている。
【００２３】
＜ハーネスクランプの構成＞
ハーネスクランプ１０は、バンド２０と、本体部３０と、バンド係止部４０と、固定部５０と、小型突部６０及び大型突起６５とを備えている。概略的には、ハーネスクランプ１０は、ワイヤーハーネス１の外周部に巻き付けられたバンド２０が本体部３０に設けられたバンド係止部４０により巻付形態に維持され、本体部３０に設けられた固定部５０が固定相手部９０の固定用孔部９２に対して固定されることにより、ワイヤーハーネス１を車両に固定する。なお、上述したバンドロック構造部１２は、バンド２０と、本体部３０と、バンド係止部４０とを備える部分を指す。
【００２４】
ここでは、ハーネスクランプ１０は、本体部３０、バンド係止部４０、固定部５０、小型突部６０及び大型突部６５が一体に形成された本体部材と、これとは別体に形成されたバンド２０とが組み合わされることにより構成される。本体部材及びバンド２０は、それぞれ、合成樹脂材料を射出成型等して形成されるとよい。
【００２５】
バンド２０は、ワイヤーハーネス１の外周部に巻き付けられる部材である（図５参照）。このバンド２０は、長手方向に複数の被係止部２２が並んで設けられた帯状に形成されている。より具体的には、バンド２０は、一主面で開口する凹状の被係止部２２が、長手方向において間隔をあけて複数並んだ形状に形成されている。この被係止部２２は、略直方体状の内部空間を有する凹状に形成され、バンド２０の長手方向における両端部に前記長手方向に略直交する被係止面を有している。
【００２６】
本体部３０は、バンド２０が巻き付けられるワイヤーハーネス１を載置状に支持可能な部分である。この本体部３０は、略直方体ブロック状に形成され、ワイヤーハーネス１を一主面（以下、支持面３８）上で配索方向Ｒに沿わせて支持可能である。また、本体部３０は、固定相手部９０の固定用孔部９２に挿入される部分でもある。以下、本体部３０を固定用孔部９２に挿入する向きを挿入方向Ｓと称し、本体部材自体の向きを説明する際にもこの挿入方向Ｓを用いる。なお、上記支持面３８は、本体部３０の挿入方向Ｓに直交する後端面である。また、挿入方向Ｓは、配索方向Ｒに略直交する方向である。
【００２７】
本体部３０は、固定用孔部９２に対する挿入方向Ｓに直交する断面視において、固定用孔部９２に挿入可能な外形に設定されている（図３参照）。好ましくは、本体部３０は、挿入方向Ｓに直交する断面視一方向において、固定用孔部９２の開口縁部のうち貫通方向に直交する一方向に対向する両側部分の間隔と同じかそれより僅かに小さい寸法に設定されているとよい。
【００２８】
より具体的には、本体部３０は、支持面３８で開口すると共に一方向に貫通する一対の貫通孔部３２を有している（図４、図５参照）。一対の貫通孔部３２は、バンド２０を挿通可能なバンド挿通路３４を有する孔部である。ここでは、一対の貫通孔部３２の貫通方向は、挿入方向Ｓに沿った方向である。また、一対の貫通孔部３２は、配索方向Ｒ及び貫通方向に沿って扁平な中間壁部３５を介して並列状に形成されている。
【００２９】
バンド挿通路３４は、貫通孔部３２のうちの中間壁部３５寄りの部分であり、中間壁部３５に沿ってバンド２０を挿通する。なお、貫通孔部３２のうちのバンド挿通路３４の側方（中間壁部３５が対向する内壁側）には、後述するバンド係止部４０が設けられている。
【００３０】
そして、バンド２０の長手方向中間部分が本体部３０の支持面３８側でワイヤーハーネス１の外周部に巻き付けられる形態で輪状にされ、一対の貫通孔部３２にバンド２０の長手方向両端部側の部位がそれぞれ挿通される（図５参照）。すなわち、バンド２０は、両端部が一対の貫通孔部３２の挿入方向Ｓ前方側から露出する姿勢で本体部３０にセットされる。
【００３１】
また、本体部３０において、中間壁部３５は、支持面３８上に配索されるワイヤーハーネス１が貫通孔部３２内に入り込むことを抑制するための構成である肉厚部３７を有している。肉厚部３７は、中間壁部３５の支持面３８側端部にワイヤーハーネス１を支持するための補助支持面３９を有している。
【００３２】
より具体的には、肉厚部３７は、中間壁部３５の配索方向Ｒ一部において、少なくとも一方の貫通孔部３２内に突起する形状に形成されている。すなわち、肉厚部３７は、中間壁部３５の他の部位と比較して肉厚に設定されている。（図５、図６参照）ここでは、肉厚部３７は、両方の貫通孔部３２内に突起する形状に形成されている。また、肉厚部３７は、貫通孔部３２の貫通方向において中間壁部３５の両端に亘って延在するように形成されている。また、肉厚部３７は、中間壁部３５のうちの配索方向Ｒ中間部に設けられている。ここで、中間部とは、厳密に中間の位置に加え、設計時に設定された製造上の誤差の範囲の位置も含むものとする。
【００３３】
ここでは、肉厚部３７は、図４に示すように、貫通孔部３２の貫通方向に直交する断面視において略台形状に突出する形状に形成されている。もっとも、肉厚部３７は、断面視略台形状に限られず、矩形状、円弧状または三角形状等に突出する形状に形成されていてもよい。
【００３４】
一方、バンド２０は、複数の被係止部２２が形成された面の反対側の面に長手方向に沿って形成され、肉厚部３７に対して摺動可能に嵌合する凹部２７を有している。すなわち、肉厚部３７は、バンド２０の凹部２７と嵌合することにより、貫通孔部３２に挿通されるバンド２０を貫通孔部３２の貫通方向に案内するガイドとしての役割を果たす。
【００３５】
また、肉厚部３７の支持面３８側端部に設けられた補助支持面３９は、貫通孔部３２の貫通方向に直交する平面である。もっとも、補助支持面３９は、貫通方向に直交する平面に限られず、ワイヤーハーネス１の外周形状に沿った曲面又は一対の傾斜面がＶ字状に並んだ形状等であってもよい。
【００３６】
バンド係止部４０は、バンド２０に係止して、バンド２０をワイヤーハーネス１の外周部に巻き付けた形態に維持する部分である（図５参照）。ここでは、一対のバンド係止部４０は、一対の貫通孔部３２に挿通されたバンド２０が、本体部３０の挿入方向Ｓ後方に移動することを規制可能に形成されている。
【００３７】
バンド係止部４０は、各貫通孔部３２の内側に突出する形態で設けられている。このバンド係止部４０は、係止姿勢と非係止姿勢との間で、基端側の支点部４４を基点として姿勢変更可能に形成されている。ここで、係止姿勢とは、バンド挿通路３４に進出して、各貫通孔部３２に挿通されるバンド２０の複数の被係止部２２に対して選択的に係止可能な姿勢である。また、非係止姿勢とは、バンド挿通路３４から退避した姿勢である。
【００３８】
バンド係止部４０は、係止爪４２と、支点部４４と、ロック解除用押圧面４８とを有している。より具体的には、バンド係止部４０は、貫通孔部３２のうちの中間壁部３５に対向する内壁の一部から貫通孔部３２の貫通方向一方（挿入方向Ｓ前方）且つ中間壁部３５側に向けて突出する形状に形成されている。すなわち、バンド係止部４０は、貫通孔部３２の内壁に連続する支点部４４により支持され、この支点部４４から挿入方向Ｓ前方に延出する部分を有している。
【００３９】
係止爪４２は、バンド２０の被係止部２２に対して係止する部分である。この係止爪４２は、バンド係止部４０のうち、支点部４４より挿入方向Ｓ前方に延出する部位において、中間壁部３５側に突出する形状に形成されている。係止爪４２は、挿入方向Ｓに略直交し、挿入方向Ｓ前方を向く係止面を有している。ここでは、係止爪４２は、挿入方向Ｓ前方に向けて徐々に突出寸法が大きくなる断面視略直角三角形状に形成されている。すなわち、係止爪４２は、挿入方向Ｓ後方に面する傾斜面を有している。また、係止爪４２は、被係止部２２の内部に配設可能な大きさに設定されている。また、ここでは、バンド係止部４０は、挿入方向Ｓに間隔をあけて２つの係止爪４２を有している。なお、挿入方向Ｓにおける２つの係止爪４２の間隔は、複数の被係止部２２同士の間隔と略同じに設定されている。
【００４０】
そして、係止爪４２は、バンド係止部４０が係止姿勢にある状態ではバンド挿通路３４内に進出する。貫通孔部３２にバンド２０が挿通されている状態では、係止爪４２は、複数の被係止部２２に対して選択的に嵌まり込んで係止する。また、係止爪４２は、バンド係止部４０が非係止姿勢にある状態ではバンド挿通路３４から退避した状態で、バンド２０の被係止部２２に対して係止しない。そして、バンド係止部４０がバンド２０に係止した状態から、バンド２０が貫通孔部３２を挿入方向Ｓ前方に向けて移動されると、被係止部２２の開口縁部が係止爪４２の傾斜面に当接して、係止爪４２は係止姿勢から非係止姿勢に姿勢変更する。その後、係止爪４２は他の被係止部２２に嵌まり込んで係止する。
【００４１】
ここでは、バンド係止部４０は、支点部４４を基点として弾性変形可能に形成されることにより、係止姿勢と非係止姿勢との間で姿勢変更可能にされている。支点部４４は、それより挿入方向Ｓ前方側の部位より比較的薄肉に形成されている。これにより、バンド係止部４０は、主として支点部４４が弾性変形することにより、支点部４４を基点として姿勢変更する。なお、バンド係止部４０のうちの支点部４４以外の部位が支点部４４と同時に弾性変形し得ることは言うまでもない。
【００４２】
ロック解除用押圧面４８は、支点部４４よりバンド挿通路３４側で挿入方向Ｓ後方に面する面である。ここでは、ロック解除用押圧面４８は、ロック解除用突起部４６の先端側の面である。そして、ロック解除用押圧面４８は、挿入方向Ｓに直交する形状に形成されている。もっとも、ロック解除用押圧面４８は、挿入方向Ｓに直交又は支点部４４側からバンド挿通路３４側に向けて挿入方向Ｓ後方に傾斜する形状等に形成されていてもよい。
【００４３】
ロック解除用突起部４６は、支点部４４よりバンド挿通路３４側で、挿入方向Ｓにおいて支点部４４より後方側に突起する形状に形成されている。このロック解除用突起部４６は、貫通孔部３２のうちの中間壁部３５に対向する内壁に対して隙間をあけて突起している。また、ロック解除用突起部４６は、バンド係止部４０が係止姿勢から非係止姿勢に姿勢変更した際にも、バンド挿通路３４に進出しない形状に形成されている。より具体的には、ロック解除用突起部４６は、先端側の中間壁部３５側の部位が先端側に向けて中間壁部３５から離間する向きに傾斜している。
【００４４】
そして、ロック解除用押圧面４８を挿入方向Ｓ後方から押圧することにより、バンド係止部４０は、支点部４４を基点として、係止姿勢から非係止姿勢に姿勢変更する。また、押圧状態を解除することにより、バンド係止部４０は、自身の弾性により、非係止姿勢から係止姿勢に姿勢変更しようとする。この際、バンド係止部４０は、貫通孔部３２内にバンド２０が挿通されていないか係止爪４２の位置にバンド２０の被係止部２２が位置する場合には係止姿勢に姿勢変更し、係止爪４２の位置に被係止部２２同士の間の部分が位置する場合には該部分に当接して非係止姿勢に維持される。
【００４５】
固定部５０は、本体部３０を固定相手部９０に対して固定する部分である。固定部５０は、係止部５２と、押え部５６とを有している（図１参照）。
【００４６】
係止部５２は、固定用孔部９２の周縁部に対して本体部３０の挿入方向Ｓ前方側から係止する部分である。この係止部５２は、本体部３０（ここでは挿入方向Ｓ前端部）の外周面から外周側に張り出す形状に形成され、本体部３０の挿入方向Ｓ前方側から後方側に向けて徐々に張出寸法が大きくなっている。そして、係止部５２は、先端側部分が自由端とされて内周側に向けて弾性変形可能に形成されている。係止部５２の先端側部分には、挿入方向Ｓ後方に向かう係止面が設けられている。ここでは、係止面は、本体部３０の挿入方向Ｓにおいて段階的に複数設けられている。すなわち、固定相手部９０であるパネルの厚さによって周縁部に係止する係止面が変わる。また、ここでは、係止部５２は、本体部３０の外周部のうちの対向する２箇所に設けられている。
【００４７】
そして、係止部５２は、本体部３０が固定用孔部９２に挿入されるにつれて内周側に弾性変形すると共に、係止面が固定用孔部９２を越えると弾性変形前の形態に復帰する。これにより、係止部５２は、係止面が固定用孔部９２の周縁部に対して挿入方向Ｓ前方側から係止した状態となる。
【００４８】
押え部５６は、固定用孔部９２の周縁部に対して本体部３０の挿入方向Ｓ後方側から係止する部分である（図５参照）。この押え部５６は、本体部３０（ここでは挿入方向Ｓ後端部）の外周部から外周側に張り出す鍔状に形成されている。ここでは、押え部５６は、略楕円形状（具体的には一対の弧状部を一対の直線部が結ぶ形状）に形成されている。
【００４９】
また、押え部５６の外周側部分は、外周縁部に近づくにつれて本体部３０の挿入方向Ｓ前方側に向かう形状に形成されている。この押え部５６の外周側部分は、挿入方向Ｓ後方に向けて弾性変形可能（皿バネ状）である。押え部５６の外周縁部は、係止部５２の各係止面に対して、固定相手部９０の厚さ寸法より小さい間隔をあけて設けられている。
【００５０】
また、押え部５６の内周側部分は、挿入方向Ｓにおいて、係止部５２の各係止面に対して、固定相手部９０であるパネルの厚さ寸法と同じかそれより大きい（ここでは僅かに大きい）間隔をあけて設けられている。
【００５１】
そして、押え部５６は、本体部３０が固定用孔部９２に挿入されるにつれて挿入方向Ｓ後方に向けて弾性変形する。これにより、係止部５２が固定用孔部９２の周縁部に対して挿入方向Ｓ前方側から係止した状態で、押え部５６は固定用孔部９２の周縁部に対して挿入方向Ｓ後方側から係止する。すなわち、押え部５６の弾性変形前の形状に復帰しようとして固定用孔部９２の周縁部を押圧する力により、係止部５２が固定用孔部９２の周縁部に押し付けられ、固定用孔部９２が挿入方向Ｓにおいて係止部５２と押え部５６との間に挟まれた状態に維持される。
【００５２】
小型突部６０及び大型突部６５は、ハーネスクランプ１０が固定対象であるワイヤーハーネス１に対して中心軸周りに回転又は延在方向に移動することを抑制するための部分である。
【００５３】
小型突部６０は、主として、小径のワイヤーハーネス１に対するハーネスクランプ１０の回転及び移動を抑制する部分である。この小型突部６０は、本体部３０の支持面３８から挿入方向Ｓ後方に突出する形状に形成されている。小型突部６０は、本体部３０の支持面３８のうち、ワイヤーハーネス１が配索される配索方向Ｒにおけるバンド２０（一対の貫通孔部３２）の両側の位置に設けられている。また、小型突部６０は、配索方向Ｒにおいて、中心に対する両側の位置に設けられている。すなわち、ここでは小型突部６０は４つ設けられている。
【００５４】
この小型突部６０は、配索方向Ｒにおいて、固定対象となるワイヤーハーネス１のうち最も小径なものの径より小さい（ここでは僅かに小さい）間隔で設けられている。また、小型突部６０は、小径のワイヤーハーネス１の外周面に対して食い込み可能な突出寸法に設定されている。ここでは、小型突部６０は、先端部に半球形状を有する円柱状に形成されている。
【００５５】
大型突部６５は、大径のワイヤーハーネス１に対するハーネスクランプ１０の回転及び移動を抑制する部分である。この大型突部６５は、本体部３０の支持面３８から挿入方向Ｓ後方に突出する形状に形成されている。大型突部６５は、本体部３０の支持面３８のうち、配索方向Ｒに直交する方向において、中心に対して小型突部６０よりも外側に位置すると共に、配索方向Ｒにおけるバンド２０（一対の貫通孔部３２）の両側の位置に設けられている。また、大型突部６５は、配索方向Ｒに沿った方向におけるバンド２０の両側の位置に設けられている。すなわち、ここでは大型突部６５も４つ設けられている。
【００５６】
より具体的には、大型突部６５は、配索方向Ｒにおいて、大型のワイヤーハーネス１のうち最も小径なものの径（基準寸法（例えば５ｍｍ））より小さい（ここでは僅かに小さい）間隔で設けられている。また、大型突部６５は、小型突部６０より大きく突出する形状に形成されている。より具体的には、大型突部６５は、大径のワイヤーハーネス１の外周面に対して食い込み可能な寸法に設定されている。ここでは、大型突部６５は、ワイヤーハーネス１の配索方向Ｒに沿って扁平に形成されると共に、配索方向Ｒ及びその直交方向から見て先端部が円弧状に形成されている。すなわち、小型突部６０及び大型突部６５各々の頭頂部は、ワイヤーハーネス１の損傷防止のために、湾曲した面で形成されている。
【００５７】
＜ハーネスクランプの取り付け＞
ハーネスクランプ１０の取付方法について説明する。
【００５８】
まず、ワイヤーハーネス１を、配索方向Ｒに沿わせて支持面３８上に配設する（図７参照）。より具体的には、ワイヤーハーネス１を、支持面３８上において、中心軸が配索方向Ｒに直交する方向におけるほぼ中心に位置するように配設する。すなわち、ワイヤーハーネスは、補助支持面３９を含む中間壁部３５の支持面３８側端部上に配置される。なお、ワイヤーハーネス１は、バンド２０を一方の貫通孔部３２に通してから、支持面３８上に配置してもよい。
【００５９】
次に、バンド２０の長手方向中間部分を支持面３８上のワイヤーハーネス１の外周部に巻き付ける形態で、該バンド２０の両端側部分を一対の貫通孔部３２に挿通した状態にする。ここでは、バンド２０を挿入方向Ｓ前方から一方の貫通孔部３２に挿通して本体部３０の後方から引き出し、バンド２０の長手方向中間部分をワイヤーハーネス１の外周部に巻き付けて挿入方向Ｓ後方から他方の貫通孔部３２に挿通する。
【００６０】
ここでは、長手方向に連続したバンド材料をロール状に収納した供給源から連続供給する。より具体的には、まず、連続したバンド２０（バンド材料）を一方の貫通孔部３２に対して挿入方向Ｓ前方から挿入する。この際、バンド係止部４０が係止姿勢にあるため、バンド挿通路３４上から退避させる。すなわち、ロック解除用押圧面４８を挿入方向Ｓ前方に向けて押圧し、バンド係止部４０を非係止姿勢に姿勢変更させる。この作業は、押圧用の治具を用いて行うとよい。
【００６１】
バンド係止部４０が非係止姿勢に姿勢変更されたままの状態で、バンド２０を一方の貫通孔部３２の挿入方向Ｓ後方から引き出していく。そして、バンド２０を、一方の貫通孔部３２から引き出しつつ、ワイヤーハーネス１の外周部に巻き付けていく。ここでは、まだ、押圧用治具によりロック解除用押圧面４８を押圧してバンド係止部４０を非係止姿勢に維持しておく。もっとも、バンド２０を、一方の貫通孔部３２から必要な長さ又はそれより多く引き出しておいて、ロック解除用押圧面４８に対する押圧力を解除してもよい。
【００６２】
さらに、ワイヤーハーネス１の外周部を１周させたバンド２０を、他方の貫通孔部３２に対して挿入方向Ｓ後方から挿入する。この際、バンド２０の端部又は被係止部２２の被係止面が係止爪４２の傾斜面に当接して、バンド係止部４０が係止姿勢から非係止姿勢に姿勢変更される。また、被係止部２２が係止爪４２の位置に移動したとき、バンド係止部４０は、係止爪４２が被係止部２２内に嵌まり込んで（バンド挿通路３４に進出して）係止姿勢に姿勢変更する。
【００６３】
少なくとも、係止爪４２（ここでは両方）が被係止部２２に嵌まり込んで係止するまで、バンド２０を他方の貫通孔部３２に挿入してから、バンド２０を締め付ける。ここでは、バンド２０を、他方の貫通孔部３２の挿入方向Ｓ前方から露出する（延出していなくともよい）まで挿通させている。この状態で、バンド２０の少なくともどちらか一方の端部を挿入方向Ｓ前方に引っ張って、バンド２０の長手方向中間部分がワイヤーハーネス１を締め付けて保持する。ここで、バンド２０の端部を引っ張る際に、バンド２０は、本体部３０の挿入方向Ｓ後端部で、（特に大径のワイヤーハーネス１の場合）丸め部３６に当接しつつ一対の貫通孔部３２内に引き込まれる（図５参照）。このため、バンド２０は、本体部３０の挿入方向Ｓ後端部でも、屈曲されずに丸め部３６の曲面に部分的又は全体的に沿って湾曲した形態となる。
【００６４】
そして、ワイヤーハーネス１は、バンド２０により締め付けられることにより、支持面３８、中間壁部３５の支持面３８側端部及び補助支持面３９に対して押し付けられる。この際、バンド２０の締め付け力により、ワイヤーハーネス１が一対の貫通孔部３２を結ぶ方向に移動することがあり得る（図８参照）。本ハーネスクランプ１０においては中間壁部３５に肉厚部３７が形成されているため、ワイヤーハーネス１は、平面視において、中間壁部３５のうちの肉厚部３７の他の部位に対してはみ出ても補助支持面３９上に載置された状態に維持される。すなわち、ワイヤーハーネス１は、補助支持面３９上に位置する範囲で一対の貫通孔部３２内に入り込むことを抑制されると共に、肉厚部３７の側方の位置においても貫通孔部３２内への入り込みを最小限に抑制することができる。しかも、ここでは肉厚部３７が配索方向Ｒにおいて中間壁部３５の中間部に形成されているため、ワイヤーハーネス１のうちの一対の貫通孔部３２の範囲を通る部位の少なくとも中間部分を支持できる。これにより、中間壁部３５の両側においてワイヤーハーネス１が貫通孔部３２内に入り込むことをより効果的に抑制できる。
【００６５】
以上により、バンド２０によるワイヤーハーネス１の締め付け状態を維持することができる。この後、一方の貫通孔部３２から挿入方向Ｓ前方から延出するバンド２０を切断する。
【００６６】
次に、ワイヤーハーネス１を保持したハーネスクランプ１０を固定相手部９０に対して固定する。より具体的には、本体部３０を挿入方向Ｓに沿って固定用孔部９２に挿入することにより、本体部３０が固定相手部９０に対して固定される。すなわち、係止部５２及び押え部５６が、固定用孔部９２の周縁部に対してそれぞれ挿入方向Ｓ前後から係止する。これにより、ワイヤーハーネス１のうちハーネスクランプ１０が取り付けられた部分は、所定の固定相手部９０に対して固定される。
【００６７】
上記構成に係るハーネスクランプ１０（バンドロック構造部１２）によると、本体部３０が、ワイヤーハーネス１を配索方向Ｒに沿って支持する支持面３８と、配索方向Ｒに沿って扁平な中間壁部３５を介して並列状に形成されて支持面３８で開口すると共に一方向に貫通してバンド２０を挿通可能なバンド挿通路３４を有する一対の貫通孔部３２と、中間壁部３５の支持面３８側端部に補助支持面３９を有して配索方向Ｒの一部において中間壁部３５のうちの少なくとも一方の面から貫通孔部３２内に突起する肉厚部３７を有する。このため、配索方向Ｒに沿った中間壁部３５上で支持面３８上に配設されるワイヤーハーネス１をバンド２０により締め付けても、中間壁部３５のうち配索方向Ｒ一部で肉厚部３７の補助支持面３９上に支持されることにより、ワイヤーハーネス１の貫通孔部３２内への入り込みを抑制することができる。しかも、肉厚部３７は中間壁部３５の配索方向Ｒの一部だけに形成されているため、材料の軽減を図ることもできる。
【００６８】
また、肉厚部３７が、中間壁部３５の両面から各貫通孔部３２内に突起する形状に形成されているため、中間壁部３５のうち配索方向Ｒ一部で肉厚部３７の補助支持面３９上に支持されるワイヤーハーネス１の貫通孔部３２内への入り込みをより確実に抑制することができる。
【００６９】
また、肉厚部３７が貫通孔部３２の貫通方向において中間壁部３５の両端に亘って延在し、バンド２０が、複数の被係止部２２が形成された面の反対側の面に長手方向に沿って形成され、肉厚部３７に対して摺動可能に嵌合する凹部２７を有している。このため、肉厚部３７と凹部２７とが嵌合した状態でバンド２０が貫通孔部３２に挿通され、貫通孔部３２にスムーズにバンド２０を挿通することができる。また、貫通孔部３２内に突起する肉厚部３７が形成されても、バンド２０の幅方向一部分で長手方向に亘って厚さを確保でき、本体部３０のサイズを維持したままでバンド２０の強度を維持できる。
【００７０】
また、肉厚部３７が、中間壁部３５のうちの配索方向Ｒ中間部に設けられているため、ワイヤーハーネス１の貫通孔部３２内への入り込みをより確実に抑制することができる。
【００７１】
これまで、肉厚部３７が中間壁部３５のうちの配索方向Ｒ中間部に設けられる構成について説明してきたが、肉厚部３７は中間部からずれた位置に設けられていてもよい。また、肉厚部３７が貫通孔部３２の貫通方向において中間壁部３５の両端に亘って形成されている例で説明してきたが、補助支持面３９を有していればよく、支持面３８側端部から貫通孔部３２の貫通方向の中途部まで延在する形状に形成されていてもよい。なお、肉厚部３７は、貫通孔部３２の貫通方向に沿って直線状に延在する形状に形成されていることが好ましい。この形状により、金型成型を容易にすることができる。
【００７２】
また、小型突部６０及び大型突部６５を有する例でハーネスクランプ１０を説明してきたが、小型突部６０及び大型突部６５は省略されてもよいし、それぞれ４つ以外の数設けられていてもよい。
【００７３】
また、これまで、バンドロック構造部１２を含むハーネスクランプ１０の構成について説明してきたが、バンドロック構造部１２単体で用いてもよい。すなわち、ワイヤーハーネス１を構成する複数の電線等を結束して保持する用途でバンドロック構造部１２を単体で用いることができる。図９及び図１０には、バンドロック構造部１２を、ワイヤーハーネス１の結束部材として用いる例を示している。なお、図９及び図１０では、小型突部６０及び大型突部６５が設けられた例を示しているが、省略されてもよい。すなわち、バンドロック構造部１２に、固定部５０を設けることによりハーネスクランプ１０として用いることができる。
【００７４】
バンドロック構造部１２単体で用いる場合でも、ワイヤーハーネス１が、中間壁部３５の配索方向Ｒの一部において肉厚部３７の補助支持面３９に支持されることより、バンド２０の締め付け時に貫通孔部３２内に入り込むことを抑制できる。
【００７５】
また、バンドロック構造部１２を有するハーネスクランプにおいて、係止部５２及び押え部５６を有する固定部５０とは異なる固定構造が採用されてもよい。例えば、粘着面を有して固定相手部９０に対して貼り付け可能な固定構造、固定相手部９０に対してネジ止め可能な固定構造等を採用することができる。
【００７６】
以上のように、バンドロック構造部１２は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００７７】
１  ワイヤーハーネス
１０  ハーネスクランプ
１２  バンドロック構造部
２０  バンド
２２  被係止部
２７  凹部
３０  本体部
３２  貫通孔部
３５  中間壁部
３７  肉厚部
３８  支持面
３９  補助支持面
４０  バンド係止部
５０  固定部
９０  固定相手部
Ｒ  配索方向
Ｓ  挿入方向
【図１】
0005807564.tif 000002
【図２】
0005807564.tif 000003
【図３】
0005807564.tif 000004
【図４】
0005807564.tif 000005
【図５】
0005807564.tif 000006
【図６】
0005807564.tif 000007
【図７】
0005807564.tif 000008
【図８】
0005807564.tif 000009
【図９】
0005807564.tif 000010
【図１０】
0005807564.tif 000011